(57)【特許請求の範囲】
【請求項１】
圧力容器内の消火液をフォグノズルから噴出せしめるフォグ消火方法であって；
該圧力容器に消火液と加圧気体とが封入され、該消火液と加圧気体とが交互に前記フォグノズルから噴霧されるとともに、前記噴霧された加圧気体の速度を前記消火液の噴霧により生ずるフォグの速度よりも速くしたことを特徴とすることを特徴とするフォグ消火方法。
【請求項２】
圧力容器に消火液と加圧気体とを封入し、該加圧容器をフォグノズルに連通せしめたフォグ消火装置であって；
前記消火液と加圧気体とを交互にフォグノズルに供給するための流体切換手段を設けるとともに、前記加圧気体の速度を前記消火液の噴霧により生ずるフォグの速度よりも速くしたことを特徴とするフォグ消火装置。
【請求項３】
流体切換手段は、圧力容器内に設けられ、かつ、流体吸込口を有する流体切替フロートと，一端が該フロートの流体吸込口に連通し、かつ、他端がフォグノズルに接続されているノズルホースと、からなることを特徴とする請求項２記載のフォグ消火装置。
【請求項４】
流体切換手段は、一端が圧力容器内の液体室内に位置し、かつ、他端がフォグノズルに接続されたノズルホースと、圧力容器の気体室内のノズルホースに設けられた自動開閉バルブと、からなることを特徴とする請求項２記載のフォグ消火装置。
【請求項５】
前記消火液と前記加圧気体が、各々別の圧力容器に封入されていることを特徴とする請求項２記載のフォグ消火装置。
【発明の詳細な説明】
【０００１】
【発明の属する技術分野】
この発明は、フォグ消火方法及びその装置に関するものである。
【０００２】
【従来の技術】
フォグ消火方法は、消火液を霧状にして放射し消火する方法であるが、この消火方法には次の利点がある。
(1)同じ水量で比較すると粒子径の小さい方が表面積が大きいので、吸熱面積も大きくなり冷却効率が良い。
【０００３】
(2)粒子径の小さい方が蒸発しやすい分、気化熱による大きな冷却効果が期待できる。また、水蒸気が大量に発生し窒息効果が期待できる。
【０００４】
従来のフォグ消火装置は液体だけを用いる１流体タイプと、ノズル内で液体と気体を混合してミストとして外へ放出する２流体タイプと、がある。
１流体タイプは配管が１系統だけで良く設備上複雑にならないが、粒子の運動エネルギーが小さいため炎の上昇気流等にあおられて火源に到達しにくい。
又、２流体タイプは粒子の移動速度が速いため、粒子の運動エネルギーが大きく、１流体タイプよりも火源に到達しやすいが、配管が２系統必要なため割高な設備となる。
【０００５】
この発明は、上記事情に鑑み、霧状の消火液が火源に到達できる様にするとともに、配管設備コストの低減化を図ることを目的とする。
【０００６】
【課題を解決するための手段】
この発明は、圧力容器内の消火液をフォグノズルから噴出せしめるフォグ消火方法であって；該圧力容器に消火液と加圧気体とが封入され、該消火液と加圧気体とが交互に前記フォグノズルから噴霧されるとともに、前記噴霧された加圧気体の速度を前記消火液の噴霧により生ずるフォグの速度よりも速くしたことを特徴とする。
【０００７】
この発明は、圧力容器に消火液と加圧気体とを封入し、該加圧容器をフォグノズルに連通せしめたフォグ消火装置であって；前記消火液と加圧気体とを交互にフォグノズルに供給するための流体切換手段を設けるとともに、前記噴霧された加圧気体の速度を前記消火液の噴霧により生ずるフォグの速度よりも速くしたことを特徴とする。
【０００８】
【発明の実施の形態】
本発明者は、前記一流体タイプと前記二流体タイプのフォグ消火方法は、それぞれ前述の様な利点を備えていることに鑑み、この両方の利点を生かせる消火方法を研究した。その結果、フォグノズルに消火液と加圧気体とを交互に供給し、それらを交互に噴霧すれば良いことがわかった。
【０００９】
即ち、消火液のみを噴霧すると、消火液はノズル近傍に霧状となって漂うが、次に噴出される消火液より速度の速い加圧気体に巻き込まれて火源に向かう。
そのため、霧の粒子と炎表面で発生した水蒸気が火源へ到達するとともに、炎源は吹き消し作用も受けることになる。
【００１０】
なお、消火液と加圧気体とを交互にフォグノズルに供給する代わりに、消火液と、加圧気体に消火液が混入された混合流体とを交互にフォグノズルに供給し、噴霧しても良い。
【００１１】
【実施例】
この発明の実施例を図１〜図３により説明する。フォグ消火装置１は、圧力容器２と該圧力容器２内の液面Ｌに浮上する流体切換フロート３と、該切換フロート３とフォグノズル５とを連結するノズルホース６と、を備えている。
【００１２】
圧力容器２には、加圧気体７と消火液８とが封入されている。この加圧気体７として、例えば、ＣＯ2やＮ2が用いられ、又、消火液として、例えば、消火水や水成膜泡消火薬剤としてのライトウオータ（商品名）が用いられる。また、加圧気体と消火液は周期的に交互に供給するのが好ましいが、必ずしもその必要はない。
【００１３】
切換フロート３は、消火液８と加圧気体７とを交互にフォグノズル５に供給する流体切換手段である。このフロート３は、断面方形状の本体３ａと、軸心３ｃに平行な流体吹込口３ｂと、該流体吹込口３ｂと直交し、かつ、ノズルホース６が接続される連結口３ｄと、から構成されている。この流体吹込口３ｂ、連結口３ｄの大きさや形状等は必要に応じて適宜選択される。
【００１４】
フォグノズル５は周知のものが用いられるが、例えば、フォグの粒径を１０〜３００μｍ位にできるものが選択される。
【００１５】
次に、本実施例の作動について説明する。
火災発生時に、例えばノズルホース６に設けられた図示しないバルブを開放すると、加圧気体７に押圧されている消火液８は、ノズルホース６を通ってフォグノズル５から噴霧される。
【００１６】
該ノズル５から消火液８が噴霧されると、液面Ｌが乱れ、流体吹込口３ｂからは消火液８又は加圧気体７だけ吸い込まれる状態が短周期に繰り返される。この周期は必ずしも一定の周期とは限らない。
【００１７】
そうすると、フォグノズル５には、消火液８→加圧気体７→消火液８の順で繰り返し供給されるので、フォグのみ→フォグと気体→フォグのみの順で繰り返し噴霧される。
【００１８】
消火液８がフォグノズル５から噴霧されると、フォグＦとなって飛散するが、このフォグＦは速度が遅いのでフォグノズル５の近傍に漂い、フォグ領域１０を形成する。
【００１９】
次に、加圧気体７がフォグノズル５から噴霧されると、フォグＦよりも速度の速い加圧気体７が、フォグ領域１０内のフォグＦを巻き込んで搬送するので、フォグＦの粒子と炎Ｈ表面で発生した水蒸気が火源１２へ到達する。
この時、加圧気体７の速い流れにより風が発生し、炎Ｈを吹く様にするので、該炎Ｈは鎖線で示す様になり、所謂吹き消し効果も発生する。
【００２０】
この発明の第２実施例を図４により説明する。
この実施例と第１実施例との相違点は、流体切換手段として自動開閉バルブ２０が用いられることである。このバルブ２０は、圧力容器２の気体室２１内に設けられており、開弁すると気体室２１内の加圧気体７がノズルホース６に供給され、閉弁すると消火液８がノズルホース６に供給される。このバルブ２０はフォグ消火装置１の外部に設けられた図示しない自動開閉制御スイッチと電気的に接続されおり、該バルブ２０はこのスイッチをオンすることにより開き、該スイッチをオフにすることにより閉じる。
【００２１】
この発明の第３実施例を図５により説明する。
この実施例と第２実施例との相違点は、自動開閉バルブ２５を圧力容器２内に設けるかわりに、該圧力容器２の外側に設けたことである。
【００２２】
この発明の第４実施例を図６により説明する。
この実施例と第１実施例との相違点は、圧力容器２の他に加圧気体を封入した容器３０を設け、両容器２、３０を三方切換弁３１を介してノズルホース６に連結し、該三方切換弁３１をモータなどで制御して、フォグと圧力気体とを交互に放出するようにしたことである。
【００２３】
この発明の実施例は上記に限定されるものではなく、例えば、流体切換手段は消火液と加圧気体とを交互にノズルホースに供給できるものであれば良い。
又、フォグノズルからフォグ→フォグ及び加圧気体→フォグの順で繰り返し噴霧する代わりに、フォグ→加圧気体→フォグの順で繰り返し噴霧する様にしてもよい。
【００２４】
【発明の効果】
この発明は、以上の様に構成したので、フォグノズル近傍に漂っているフォグは、速度の速い加圧気体に巻き込まれて搬送される。
そのため、フォグを火源に到達させることができるので、従来例に比べ消火効率の向上を図ることができる。
【図面の簡単な説明】
【図１】本発明の第１実施例を示す縦断面図である。
【図２】流体切換フロートの拡大断面図である。
【図３】消火状況を示す図である。
【図４】本発明の第２実施例を示す縦断面図である。
【図５】本発明の第３実施例を示す縦断面図である。
【図６】本発明の第４実施例を示す縦断面図である。
【符号の説明】
１        フォグ消火装置
２        圧力容器
３        流体切換フロート
５        フォグノズル
６        ノズルホース
７        加圧気体
８        消火液
【図１】
0003885145.tif 000002
【図２】
0003885145.tif 000003
【図３】
0003885145.tif 000004
【図４】
0003885145.tif 000005
【図５】
0003885145.tif 000006
【図６】
0003885145.tif 000007